(57)【要約】【課題】ＳＺ溝付きロッドにねじれ等があって角位相が不規則変動したときのＳＺ溝付きロッドケーブルの集合方法および装置。【解決手段】集合口金４を通してＳＺ溝付きロッド１を引き取り走行させる装置と、ＳＺ溝付きロッド１の周囲にこれと同軸的に回転可能に設けられ、個別に所定のＳＺ回転量を与えられる複数の回転分線板６１，６２，…と、これら回転分線板６１，６２，…の全体を回転可能に支持する回転フレーム６と、ＳＺ溝付きロッド１のＳＺ溝２の角位相を検出する角位相検出器７と、角位相検出器７の検出した角位相の変動量に応じて回転フレーム６を回転駆動する装置とを有するＳＺ溝付きロッドケーブルの集合装置である。【選択図】　　　　図１
2004037933.tif 000002
【特許請求の範囲】
【請求項１】
走行するＳＺ溝付きロッド（１）の周囲に、これと同軸的に回転できる複数の回転分線板（６１，６２，…）を軸方向に適宜間隔をおいて配設し、集合口金（４）位置のテープ心線（３）の落し込み点（Ｐ）におけるＳＺ溝（２）の角位相の変化に対応して直近の回転分線板（６１）をＳＺ回転させ、残余の回転分線板（６２，６３，…）を前記テープ心線（３）の捌きのために適宜角度回転させるようにするＳＺ溝付きロッドケーブルの集合方法において、前記ＳＺ溝付きロッド（１）のねじれ等によるＳＺ溝（２）の角位相の不規則変化が発生した場合に、その角位相の変動量を検出し、その変動量に対応して前記回転分線板（６１，６２，…）の全体をまとめて、前記のＳＺ回転機能を保持したまま、前記ＳＺ溝付きロッド（１）の走行にともなう前記ＳＺ溝（２）の実際の形状変化を倣うように同軸的に回転調整することを特徴とするＳＺ溝付きロッドケーブルの集合方法。
【請求項２】
集合口金（４）を通してＳＺ溝付きロッド（１）を引き取り走行させる装置と、前記ＳＺ溝付きロッド（１）の周囲にこれと同軸的に回転可能に設けられ、個別に所定のＳＺ回転量を与えられる複数の回転分線板（６１，６２，…）と、前記回転分線板（６１，６２，…）の全体を回転可能に支持する回転フレーム（６）と、前記ＳＺ溝付きロッド（１）のＳＺ溝（２）の角位相を検出する角位相検出器（７）と、前記角位相検出器（７）の検出した角位相の変動量に応じて前記回転フレーム（６）を回転駆動する装置とを有するＳＺ溝付きロッドケーブルの集合装置。
【発明の詳細な説明】
【０００１】
【発明の属する技術分野】
この発明はＳＺ溝付きロッドケーブルの集合方法および装置に関するものである。
【０００２】
【従来の技術】
まず図２についてＳＺ溝付きロッドケーブルの集合という概念を説明する。これはＳＺ溝付きロッド１の外周部に穿設されている複数本のＳＺ溝２の中に、集合口金４の位置において所定数のテープ心線３を落し込み挿入し、集合口金４を出たところで押さえ巻き５を施してケーブルとしてまとめる工程を言う。
【０００３】
この場合ＳＺ溝付きロッド１はそれ自身回転させることなく矢印の方向に引き取られるから、落し込み点ＰはＳＺ溝付きロッド１の進行に従ってＳＺ溝２の実際の形状のままにＳＺ溝付きロッド１の外周円に沿って回転運動する。
【０００４】
ＳＺ溝付きロッド１のＳＺ溝２は普通、角度的にほぼ２７０度の周期をもってＳ部とＺ部が交替するように形成されている。図２ではＳＺ溝２の今ちょうどＺ部に当たる点Ｐにおいてテープ心線３が挿入される状況が描かれている。
【０００５】
つまり落し込み点ＰはＳＺ溝付きロッド１の走行につれて、その位置が外周円に沿って２７０度づつ交互に右回りに、あるいは左回りに変わる。このため数１０本というテープ心線３は同じようにＳＺ溝付きロッド１の周囲をほぼ２７０度づつ左右に追随回転しなければならない。
【０００６】
いま本発明のための図１を流用して従来の方法を解説する。符号６１から６４までは回転分線板であって、それぞれ直結されている駆動モータ６１Ｍ、…６４Ｍによって所定の回転が与えられる。
【０００７】
符号７で示したものは、ＳＺ溝２の角位相検出器であって、これは通常はＳＺ溝２に係合する爪（図示していない）によってＳＺ溝付きロッド１の走行に従う回転量と回転方向を取り出し、角度量を知る装置である。なお角位相検出器７より上流、すなわち図の左側にはテープ心線３の流入を案内する固定された分線板があるだけと想定していただきたい。
【０００８】
角位相検出のためにＳＺ溝２に係合する爪の係合位置は、ＳＺ溝２に関して落し込み点Ｐに位相的に正確に対応する位置でなければならず、このため落し込み点ＰからＳＺ溝付きロッド１の長手方向にＳＺ溝のＳＺ反転周期のピッチの整数倍離れた上流位置に設けられていなければならない。
【０００９】
落し込み点ＰがＳＺ溝付きロッド１の外周円に沿って回転するにつれて、テープ心線３がその点Ｐに真っ直ぐに向かうように回転分線板６１を回転するようにこの角位相検出器７から駆動モータ６１Ｍに指令が与えられるのである。
【００１０】
回転分線板６１は上述したようにほぼ２７０度づつ左右に回転することになるから、仮に回転分線板６１の１枚だけでは数１０本のテープ心線３はざわざわと音を立てるほどにＳＺ溝付きロッド１に巻きつき、また巻きほどかれて今度は逆方向に巻きつくという事態を引き起し、円滑な落し込み工程が得られない。
【００１１】
これを防ぐのが２枚目以降の回転分線板６２，６３…の役目である。これらはテープ心線３がＳＺ溝付きロッド１に巻きつく（絡みつく）ことを防止して整理する、いわゆる捌く役目である。
【００１２】
このため２枚目の回転分線板６２は先頭の回転分線板６１の２７０度よりは少ない、たとえば２００度づつ、またその次の３枚目の回転分線板６３はさらに少ないたとえば１３０度づつというように、回転分線板６１の回転量より順次小さい角度づつ回転させ、最後に回転量ゼロの固定分線板（図示していない）に至るわけである。
【００１３】
さて以上に説明したような、テープ心線側をＳＺ溝に合わせて回転させるＳＺ溝付きロッドケーブルの集合方法において、もしＳＺ溝付きロッドのねじれ等によるＳＺ溝の角位相の不規則な変動があらわれた場合はどうするかという問題がある。
【００１４】
従来はＳＺ溝付きロッド１を落し込み点Ｐを挟む２個所においてＳＺ溝付きロッド１をその軸方向の走行は許すがその回転は抑止するようにクランプし、こうしてＳＺ溝付きロッド１を強制的に捩じってこの不規則変動分をゼロにする修正方法を実施していた。
【００１５】
【発明が解決しようとする課題】
しかしこのＳＺ溝付きロッドを捩じる修正方法は、正規の状態になるまでにある程度の時間がかかり、このため完全に修正されるまでの経過時間中に落し込み挿入されるテープ心線では溝への進入角度にバラツキを生じて安定した落し込み収納が得られない欠点があった。
【００１６】
またこのような従来方法による場合は、ＳＺ溝付きロッドがクランプ点を通過した後にロッドのねじれ弾性によって元の形に戻ろうとし、このときＳＺ溝の溝に沿う実長が必ず変化するために溝内に納められたテープ心線に有害な引張応力あるいは圧縮応力がかかり、テープ心線の光ファイバ心線の伝送特性を著しく損なう不都合もあった。
【００１７】
【課題を解決するための手段】
この発明は上述の課題をすべて解決するためになされたものであって、請求項１の発明によるその解決手段は、走行するＳＺ溝付きロッドの周囲に、これと同軸的に回転できる複数の回転分線板を軸方向に適宜間隔をおいて配設し、集合口金位置のテープ心線の落し込み点におけるＳＺ溝の角位相の変化に対応して直近の回転分線板をＳＺ回転させ、残余の回転分線板を前記テープ心線の捌きのために適宜角度回転させるようにするＳＺ溝付きロッドケーブルの集合方法において、前記ＳＺ溝付きロッドのねじれ等によるＳＺ溝の角位相の不規則変化が発生した場合に、その角位相の変動量を検出し、その変動量に対応して前記回転分線板の全体をまとめて、前記のＳＺ回転機能を保持したまま、前記ＳＺ溝付きロッドの走行にともなう前記ＳＺ溝の実際の形状変化を倣うように同軸的に回転調整することを特徴とするＳＺ溝付きロッドケーブルの集合方法である。
【００１８】
また請求項２の発明によるその解決手段は、集合口金を通してＳＺ溝付きロッドを引き取り走行させる装置と、前記ＳＺ溝付きロッドの周囲にこれと同軸的に回転可能に設けられ、個別に所定のＳＺ回転量を与えられる複数の回転分線板と、前記回転分線板の全体を回転可能に支持する回転フレームと、前記ＳＺ溝付きロッドのＳＺ溝の角位相を検出する角位相検出器と、前記角位相検出器の検出した角位相の変動量に応じて前記回転フレームを回転駆動する装置とを有するＳＺ溝付きロッドケーブルの集合装置である。
【００１９】
【発明の実施の形態】
図１を参照してこの発明の一実施例装置を説明する。従来技術の説明に用いた符号はそのままこの発明の説明に使用されるから、重複する説明は省略する。
【００２０】
ＳＺ溝付きロッド１にテープ心線３を回転させながら落とし込むための各回転分線板６１，６２，６３，…と、それらをそれぞれ所定角度づつ回転駆動する駆動モータ６１Ｍ，６２Ｍ，６３Ｍ，…については以上の従来技術説明のものと同じであるからこれをそのまま用いる。
【００２１】
本発明が従来技術と異なる点は、上述の各回転分線板機構が全部一つの回転フレーム６の上にまとめられていることである。そして回転フレーム６にはＳＺ溝付きロッド１の走行線を中心軸線とする調整回転用歯車６Ａが固着される。すなわち回転分線板６１，６２…や、それらの駆動モータ６１Ｍ，…等の全体は、調整回転用歯車６Ａの回転にしたがって全部一緒に、ＳＺ溝付きロッド１の軸線の周りに回転できる構成である。
【００２２】
調整回転用歯車６Ａの中心部には調整用分線板７３が同軸的に固着される。従来技術で言えば、これが装置の入口に配置され、テープ心線の流入を案内する固定分線板に相当する部分である。
【００２３】
調整用分線板７３の上流（図１の左方）には、この実施例では２枚の調整用分線板７２，７１が適宜の間隔をおいて配置され、それぞれ外周部に回転駆動用の歯車が固着される。
【００２４】
別に１本の駆動軸８がＳＺ溝付きロッド１の走行方向と平行に延び、駆動モータ９によって回転される。この駆動軸８には駆動ピニオン８１，８２，８３が共通に取り付けられる。この駆動ピニオン８１，８２，８３はそれぞれ調整用分線板７１，７２，７３の固着歯車に噛み合い、これらを回転駆動する。
【００２５】
各駆動ピニオン８１，…と各調整用分線板７１，…の固着歯車の歯数比は、調整用分線板７１，７２，７３の回転量が順次１、２，３倍となるように選定されている。
【００２６】
次にこの発明装置の作動を説明する。ＳＺ溝付きロッド１にねじれなどがなくＳＺ溝２の角位相変化が正規の状態で推移している間は、回転フレーム６は不動のままとどまり、従来技術の項で説明したように回転分線板６１，６２，…だけがＳＺ溝２のＳＺ反転周期に合った左、右の回転を繰り返してテープ心線３の落し込み挿入作用を継続してゆく。
【００２７】
さて今、ＳＺ溝付きロッド１の走行につれてそのねじれ等によってＳＺ溝２の角位相変化に不規則な部分が角位相検出器７によって検出されたとする。このときはその角度変化の信号が駆動モータ９に伝えられ、そのねじれ角度分だけＳＺ溝に追随する方向に回転フレーム６を調整回転すべく駆動ピニオン８３を回転させるのである。
【００２８】
もちろん回転フレーム６の調整回転は、角位相検出器７によって上記の不規則変化を検出した時刻から、ＳＺ溝付きロッド１が角位相検出器７からＰ点まで走行するまでに要する時間を見込んで、それだけ遅れた時刻に実行されるよう設定されるのである。
【００２９】
ここで調整用分線板がこの例では３枚設けられている理由は、回転分線板６１等がこの例では４枚使用されているのと同じ理由、つまりＳＺ溝付きロッドに絡みつくのを防止するためである。
【００３０】
したがって調整用分線板７２、同７１と上流側にゆくに従ってその回転角度は３：２：１の割合で減らされる。このことは既に〔００２４〕項で説明したように、それらに一体的に結合された歯車の歯数比によって実現される。
【００３１】
【発明の効果】
この発明によれば、ＳＺ溝付きロッドケーブルの集合に際してＳＺ溝付きロッドそのものを捩じって修正する工程ではないから、捩じって正規状態に戻るまでの時間遅れがなくて直ちに最適な落し込み挿入角度が達成できて確実な収納が得られる効果がある。
【００３２】
またこの発明によれば、ＳＺ溝付きロッドは供給源から送り出される形のままにテープ心線を落とし込むのであるから、集合工程の後にＳＺ溝付きロッドが元の形に戻ろうとしてＳＺ溝内のテープ心線、すなわち光ファイバ素線に引張や圧縮などの、その伝送特性を損なうような応力を与えることがない利点がある。
【図面の簡単な説明】
【図１】本発明のＳＺ溝付きロッドケーブルの集合装置を示す側断面図である。
【図２】テープ心線をＳＺ溝付きロッドのＳＺ溝に挿入する状況を説明する簡略図である。
【符号の説明】
１　　ＳＺ溝付きロッド
２　　ＳＺ溝
３　　テープ心線
４　　集合口金
５　　押さえ巻き糸
６　　回転フレーム
６Ａ　調整回転用歯車
６１，６２，…　回転分線板
６１Ｍ，６２Ｍ，…　駆動モータ
７　　角位相検出器
７１，７２，…　調整用分線板
８　　駆動軸
８１，８２，…　駆動ピニオン
９　　駆動モータ
【図１】
2004037933.tif 000003
【図２】
2004037933.tif 000004